(57)【要約】【課題】回転子コア内部に埋め込む永久磁石をスキューさせたものでは、生産工程が複雑となり高価なものとなるという課題があった。そこで、運転時の駆動特性の改善、高効率を維持しつつ低騒音、低振動化を比較的安価に実現できる永久磁石形電動機の回転子を提供することを目的とする。【解決手段】この発明に係る永久磁石形電動機の回転子８は、回転子コア３に永久磁石２を備えた永久磁石形電動機の回転子８において、永久磁石２を分割面が周方向に傾斜するように分割して配置し、分割された永久磁石２の極性が異なるようにしたものである。【選択図】図３
2008136352.tif 000002
【特許請求の範囲】
【請求項１】
回転子コアに永久磁石を備えた永久磁石形電動機の回転子において、前記永久磁石を分割面が周方向に傾斜するように分割して配置し、分割された永久磁石の極性が異なるようにしたことを特徴とする永久磁石形電動機の回転子。
【請求項２】
前記回転子コアは永久磁石埋込孔を備え、該永久磁石埋込孔に分割された前記永久磁石を埋め込むことを特徴とする請求項１記載の永久磁石形電動機の回転子。
【請求項３】
前記永久磁石は前記回転子コアの表面に配置され、該永久磁石を分割したことを特徴とする請求項１記載の永久磁石形電動機の回転子。
【請求項４】
回転子コアの永久磁石埋込孔に永久磁石を埋め込み、軸方向に前記永久磁石をスキューさせた構造の永久磁石形電動機において、前記永久磁石を複数に分割し、前記永久磁石埋込孔に挿入固定することを特徴とする永久磁石形電動機の回転子。
【請求項５】
前記分割された永久磁石を磁性充填剤で固着したことを特徴とする請求項４記載の永久磁石形電動機の回転子。
【請求項６】
回転子に永久磁石を備えた永久磁石形電動機の回転子において、スキュー着磁した永久磁石を配置することを特徴とする永久磁石形電動機の回転子。
【請求項７】
前記回転子コアの表面にスキュー着磁した永久磁石を配置することを特徴とする請求項６記載の永久磁石形電動機の回転子。
【請求項８】
前記永久磁石をリング磁石で構成したことを特徴とする請求項７記載の永久磁石形電動機の回転子。
【請求項９】
固定子と、永久磁石を備えた回転子とを有する永久磁石形電動機において、前記固定子によりスキューを構成することを特徴とする永久磁石形電動機。
【請求項１０】
前記固定子と回転子の両方に逆向きのスキューを付けたことを特徴とする請求項９記載の永久磁石形電動機。
【請求項１１】
回転子に永久磁石を備えた永久磁石形電動機の回転子において、永久磁石の未着磁の原材を配置固定した回転子をスキューした着磁ヨークによりスキュー着磁することを特徴とする永久磁石形電動機の回転子の製造方法。
【請求項１２】
請求項１乃至１０のいずれかに記載の永久磁石形電動機の回転子を用いたことを特徴とする圧縮機。
【請求項１３】
請求項１２記載の圧縮機を用いたことを特徴とする冷凍サイクル。
【発明の詳細な説明】
【技術分野】
【０００１】
この発明は、回転子コアに永久磁石を備えた永久磁石形電動機の回転子構造とその製造方法に関するものである。
【背景技術】
【０００２】
近年、電動機の高性能化のために回転数の制御が容易でかつ損失を低減した高効率な永久磁石形電動機が広く用いられている。図９は従来の一般的な永久磁石形電動機の回転子の断面図である。図において、１は回転軸、２は回転軸１に嵌合固定される回転子コア３に埋め込まれる永久磁石、５は回転子コア３の端部において永久磁石２を固定する端板である。
【０００３】
図１０は図９の回転子を用いた従来の永久磁石形電動機の平面断面図であり、３相４極の例である。図において、８は回転軸１に永久磁石２が埋め込まれた回転子コア３が嵌合固定された回転子である。９は内部に回転子８がエアギャップ１１を介して挿入された固定子で、ティース１３間に形成されたスロット１２にコイル１０が巻回されている。
永久磁石２は、回転軸１を有する円筒状の回転子コア３の内部に、Ｎ極Ｓ極が交互になるように配置して、固着することが一般的である。
【０００４】
以上の構成で、図示しない駆動回路によって固定子９に巻かれているコイル１０に通電すると、コイル１０は供給された電流に応じた磁束を発生する。この磁束はエアギャップ１１を介して回転子８に作用し、回転子８が有している永久磁石２はこの磁束による磁界の極性に応じて反発あるいは吸引を繰り返して回転するものである。
【０００５】
図１１は特開平９−３２７１４０号公報に開示されている永久磁石回転型回転電機の断面図である。積層された回転子コア３の外周近傍には、軸方向に延びる永久磁石埋込孔４が円周方向に沿って複数個設けられており、永久磁石埋込孔４は軸方向に複数分割され、かつそれぞれ周方向に所定の角度だけシフトして設けられている。永久磁石２は、永久磁石埋込孔４内に配置され、永久磁石埋込孔４との隙間に充填された隙間充填剤により積層された回転子コア３に固定されている。
【０００６】
図１２は実開昭５９−５３６７９号公報に開示されている永久磁石形回転電機の回転子構造を示す図で、（ａ）は回転子鉄心の正面図、（ｂ）および（ｃ）は、（ａ）の左側面図および右側面図である。回転子コア３に永久磁石埋込孔４を軸心に対しスキュー角θだけスキューさせて設け、その永久磁石埋込孔４の中に永久磁石２を挿入する。永久磁石埋込孔４内に永久磁石２を挿入して周囲の空間２０に磁性材料である鉄粉等を主成分とした樹脂剤の液状の磁性充填剤２１例えばエポキシ系充填剤を注入し、空隙を充填後硬化させている。
【特許文献１】特開平９−３２７１４０号公報
【特許文献２】実開昭５９−５３６７９号公報
【特許文献３】特開平１０−１７４３２４号公報
【特許文献４】特開平０９−３０８１４７号公報
【特許文献５】特開２０００−２５２０９号公報
【特許文献６】特開２０００−１７５３８９号公報
【発明の開示】
【発明が解決しようとする課題】
【０００７】
従来の永久磁石形電動機は以上のように構成されているので、図９、１０に示すような回転子コア内部に埋め込む永久磁石がスキューされていない永久磁石形電動機では、コギングトルクが大きく運転状況により騒音、振動が比較的大きいという問題点があった。
【０００８】
また、図１１、１２に示すような回転子コア内部に埋め込む永久磁石をスキューさせたものでは、生産工程が複雑となり高価なものとなったり、磁束量低下による性能が低下するという問題点があった。
【０００９】
この発明は、上記のような問題点を解決するためになされたもので、運転時の駆動特性の改善、高効率を維持しつつ低騒音、低振動化を比較的安価に実現できる永久磁石形電動機の回転子とその製造方法を提供することを目的とする。
【００１０】
また、高効率、低騒音な圧縮機および冷凍サイクルを得ることを目的とする。
【課題を解決するための手段】
【００１１】
この発明に係る永久磁石形電動機の回転子は、回転子コアに永久磁石を備えた永久磁石形電動機の回転子において、永久磁石を分割面が周方向に傾斜するように分割して配置し、分割された永久磁石の極性が異なるようにしたものである。
【発明の効果】
【００１２】
この発明に係る永久磁石形電動機の回転子は、回転子コアに永久磁石を備えた永久磁石形電動機の回転子において、永久磁石を分割面が周方向に傾斜するように分割して配置し、分割された永久磁石の極性が異なるようにしたことにより、高効率を維持しつつ、騒音、振動の低減が可能となる。さらに、組立性が良く金型等も増やすことなく実現でき、低コストなスキュー付永久磁石形電動機を実現できる。
【発明を実施するための最良の形態】
【００１３】
実施の形態１．
以下、この発明の実施の形態１を図面を参照して説明する。
図１は実施の形態１を示す図で、永久磁石形電動機の回転子の平面断面図及び側面断面図である。図において、１は回転軸、２は回転子コア３内の外周近傍に周方向に沿って設けられた複数個の永久磁石埋込孔４に埋め込む永久磁石、５は永久磁石２を回転子コア３の端部において固定するための端板、８はこれらで構成された回転子ある。
【００１４】
各永久磁石埋込孔４は、その中心が極中心からずれて位置し、図に示すように、極中心から一方の端部までの距離Ｌａと極中心から他方の端部までの距離Ｌｂとが異なるように形成されている。
【００１５】
本発明は、１種類の回転子コア抜き板を用い、回転子コアを周方向にシフトすることなく、一枚の永久磁石を周方向に傾斜させて埋め込むことに特徴がある。
【００１６】
図１（ａ）に示すような形状の回転子コア抜き板を、例えばコア幅の半分まで周方向にシフトせずに積層し、残りの半分は裏表逆にしてそれぞれの永久磁石埋込孔４が重なるように積層することにより、図１（ｂ）に示すような軸方向に延び途中で周方向にずれて形成された略クランク形状の永久磁石埋込孔４が形成される。そして平行四辺形の永久磁石２を略クランク形状の永久磁石埋込孔４に挿入することにより永久磁石２をスキューさせることができる。平行四辺形の永久磁石２を略クランク形状の永久磁石埋込孔４に挿入した後、端板５により永久磁石２を固定する。
【００１７】
ここでは、コア幅の半分まで積層した後、裏表を逆にして積層するものを示したが、スキュー角度により任意のコア幅で裏表を逆にしてよい。
【００１８】
回転子コア３には、鉄損が比較的小さい高透磁率の無方向性珪素鋼板を使用し、無方向性珪素鋼板の板厚は０．３ｍｍ〜０．５ｍｍを用いるのが一般的である。尚、方向性または２方向性の珪素鋼板でも良い。
【００１９】
永久磁石２は希土類磁石を使用しているが、フェライト磁石でも、それ以外の磁石でも良い。永久磁石２は、外部で着磁し、その後回転子コア３に挿入しても良いし、回転子コア３に未着磁の永久磁石を挿入後、回転子ごと着磁を行っても良い。
【００２０】
上述の実施の形態１では、４極の回転子８を例に挙げて説明したが、４極に限定されるものではない。
【００２１】
また、上記の回転子コア３と永久磁石２の構成で、コア幅を小さくしたものをいくつか組み合わせることにより、所定のコア幅の回転子８を構成しても良い。従って、スキューは斜め形状やＶ字形状としても良い。
【００２２】
上述の実施の形態１によれば、高効率を維持しつつ、騒音、振動の低減が可能となる。さらに、組立性が良く金型等も増やすことなく実現でき、安価なスキュー付永久磁石形電動機を提供できる。
【００２３】
この発明の実施の形態に係る永久磁石形電動機の回転子は、回転子コアの内部に永久磁石を埋め込んだ構造の永久磁石形電動機の回転子において、回転子コアは１種類の回転子コア抜き板を積層して構成され、回転子コア抜き板はその外周近傍に永久磁石を埋め込む永久磁石埋込孔を周方向に沿って複数個有し、永久磁石埋込孔はその中心が極中心からずれて位置し、回転子コア抜き板を所定枚数積層した後、残りは裏表逆にしてそれぞれの永久磁石埋込孔が重なるように積層することにより、軸方向に延び途中で周方向にずれて形成された永久磁石埋込孔に一枚の永久磁石を周方向に傾斜させて埋め込むものである。
【００２４】
この発明の実施の形態に係る永久磁石形電動機は、回転子コアは１種類の回転子コア抜き板を積層して構成され、軸方向に延び途中で周方向にずれて形成された永久磁石埋込孔に一枚の永久磁石を周方向に傾斜させて埋め込み回転子をスキューすることにより、高効率を維持しつつ、騒音、振動の低減が可能となる。さらに、組立性が良く、低コストなスキュー付永久磁石形電動機が実現できる。
【００２５】
この発明の実施の形態に係る永久磁石形電動機は、周方向に傾斜させて埋め込まれた永久磁石を回転子コアの両端部において端板により固定したものである。
【００２６】
この発明の実施の形態に係る永久磁石形電動機は、周方向に傾斜させて埋め込まれた永久磁石を回転子コアの両端部において端板により固定したことにより、確実に永久磁石を固定できる。
【００２７】
実施の形態２．
以下、この発明の実施の形態２を図面を参照して説明する。
図２は実施の形態２を示す図で、永久磁石形電動機の回転子の平面断面図及び側面断面図である。図において、６は永久磁石埋込孔４の外側に設けられたスリットである。本実施の形態２は実施の形態１に加えて、スリット６を付けたものである。スリット６は専用金型を用いて、金型を所定のピッチでずらしながら打ち抜いている。
【００２８】
また、上記の回転子コア３と永久磁石２の構成で、コア幅を小さくしたものをいくつか組み合わせることにより、所定のコア幅の回転子８を構成しても良い。従って、スキューは図２のような斜め形状の他にＶ字形状としても良い。
【００２９】
上述の実施の形態２によれば、磁束の流れが滑らかになり誘起電圧の高調波成分を低減でき、実施の形態１よりさらにトルクリップルの小さい低騒音な永久磁石形電動機を実現できる。
【００３０】
この発明の実施の形態に係る永久磁石形電動機は、軸方向に延び途中で周方向にずれて形成された永久磁石埋込孔に一枚の永久磁石を周方向に傾斜させて埋め込むと共に、永久磁石埋込孔の外周側にスリットを形成したものである。
【００３１】
この発明の実施の形態に係る永久磁石形電動機は、軸方向に延び途中で周方向にずれて形成された永久磁石埋込孔に一枚の永久磁石を周方向に傾斜させて埋め込むと共に、永久磁石埋込孔の外周側にスリットを形成したことにより、磁束の流れが滑らかになり誘起電圧の高調波成分を低減でき、さらにトルクリップルの小さい低騒音、低振動な永久磁石形電動機を実現できる。
【００３２】
この発明の実施の形態に係る永久磁石形電動機は、上記永久磁石形電動機の回転子を幾つか組み合わせて、スキュー付回転子を構成するものである。
【００３３】
この発明の実施の形態に係る永久磁石形電動機は、上記永久磁石形電動機の回転子を幾つか組み合わせて、スキュー付回転子を構成することにより、スキューは斜め形状やＶ字形状を任意に実現できる。
【００３４】
実施の形態３．
以下、この発明の実施の形態３を図面を参照して説明する。
図３は実施の形態３を示す図で、永久磁石形電動機の回転子の平面断面図及び側面断面図である。本実施の形態３は、永久磁石埋込孔４に軸方向に台形に分割した永久磁石２を磁極が異なるように組み合わせ挿入することにより、永久磁石２でスキューを付けるものである。隣の永久磁石埋込孔４にはブリッジ部を挟んで磁極が同極となるように永久磁石２を配置する。本実施の形態３は、２極の電動機の例であるが、もちろん２極に限定されるものではない。
【００３５】
上述の実施の形態３によれば、高効率を維持しつつ、騒音、振動の低減が可能となる。さらに、組立性が良く金型等も増やすことなく実現でき、低コストなスキュー付永久磁石形電動機を提供できる。
【００３６】
この発明の実施の形態に係る永久磁石形電動機の回転子は、回転子コアは永久磁石埋込孔を備え、永久磁石埋込孔に分割面が周方向に傾斜するように分割された永久磁石を埋め込むものである。
【００３７】
この発明の実施の形態に係る永久磁石形電動機の回転子は、永久磁石は回転子コアの表面に配置され、永久磁石を分割面が周方向に傾斜するように分割したものである。
【００３８】
実施の形態４．
以下、この発明の実施の形態４を図面を参照して説明する。
図４は実施の形態４を示す図で、永久磁石形電動機の回転子の平面断面図及び側面断面図である。本実施の形態４は、円弧形状の永久磁石２を軸方向に２分割して、回転子８外周部近傍に異なる磁極と組み合わせて永久磁石埋込孔４に配置し、隣の永久磁石埋込孔４にはブリッジ部を挟んで磁極が同極となるように永久磁石２を配置し、スキューを構成している。
【００３９】
永久磁石２は外部で着磁し、その後回転子コア３に挿入しても良いし、スキューを付けた固定子（ヨーク）により回転子８に埋め込まれている永久磁石２を着磁しても良い。また、図１では４極の回転子８の場合であるが、４極に限定されるものではない。
【００４０】
また、永久磁石２を回転子コア３の表面に配置した表面磁石構造回転子に関して、同様の方法によりスキューを構成しても良い。
【００４１】
上述の実施の形態４によれば、実施の形態３と同様の効果を得ることができ、さらに高効率で低騒音な永久磁石形電動機を実現できる。
【００４２】
この発明の実施の形態に係る永久磁石形電動機の回転子は、回転子コアの永久磁石埋込孔に永久磁石を埋め込み、軸方向に前記永久磁石をスキューさせた構造の永久磁石形電動機において、永久磁石を複数に分割し、永久磁石埋込孔に挿入固定するものである。
【００４３】
この発明の実施の形態に係る永久磁石形電動機の回転子は、回転子コアの永久磁石埋込孔に永久磁石を埋め込み、軸方向に前記永久磁石をスキューさせた構造の永久磁石形電動機において、永久磁石を複数に分割し、永久磁石埋込孔に挿入固定することにより、低騒音、低振動な永久磁石形電動機を実現できる。さらに永久磁石に生じる渦電流を低減でき、高効率化が可能となり、また、磁石高調波加熱による減磁が抑制できる。また、解体がしやすく、リサイクル性が良い。
【００４４】
実施の形態５．
以下、この発明の実施の形態５を図面を参照して説明する。
図５は実施の形態５を示す図で、永久磁石形電動機の回転子の平面断面図及び側面断面図である。図において、１４は永久磁石２を固着するための充填剤である。本実施の形態５は、永久磁石２を回転軸方向、径方向または周方向に複数に分割し、永久磁石埋込孔４に挿入してスキューを構成する。永久磁石２は接着剤等の磁性を有する充填剤１４により固着されている。また、永久磁石２は回転子コア３の端部において端板５により固定される構成となっている。
【００４５】
充填剤１４は、ボンド磁石等の粘性のある磁石を流し込み硬化させる永久磁石であっても良いし、珪素鋼板等の磁性体を含んだ接着材でも良い。
【００４６】
また、永久磁石２に関して、未着磁の永久磁石材を永久磁石埋込孔４に挿入し、スキューを付けた着磁用固定子により回転子８に埋め込まれている永久磁石２をスキュー着磁しても良い。
【００４７】
また、永久磁石２は角柱形状となるが、円柱、球状等であっても良い。
【００４８】
上述の実施の形態５によれば、実施の形態１と同様の効果を得ることができ、さらに永久磁石２表面に生じる渦電流を低減でき、高効率化が可能となり、また、磁石高調波加熱による減磁を抑制できる。
【００４９】
この発明の実施の形態に係る永久磁石形電動機の回転子は、複数に分割された永久磁石を磁性充填剤で固着したものである。
【００５０】
この発明の実施の形態に係る永久磁石形電動機の回転子は、複数に分割された永久磁石を磁性充填剤で固着したことにより、永久磁石を磁気抵抗を大きくすることなく強固に固着することができる。
【００５１】
この発明に係る永久磁石形電動機の回転子の製造方法は、回転子に永久磁石を備えた永久磁石形電動機の回転子において、永久磁石の未着磁の原材を配置固定した回転子をスキューした着磁ヨークによりスキュー着磁するものである。
【００５２】
この発明に係る永久磁石形電動機の回転子の製造方法は、永久磁石の未着磁の原材を配置固定した回転子をスキューした着磁ヨークによりスキュー着磁することにより、永久磁石を挿入する手間が省け、組立性がよい。また、簡単にスキュー着磁でき、永久磁石挿入ミスがなくなる。
【００５３】
実施の形態６．
以下、この発明の実施の形態６を図面を参照して説明する。
図６は実施の形態６を示す図で、永久磁石形電動機の回転子の平面断面図及び側面断面図である。本実施の形態６は、回転子外周に配置したリング磁石をスキュー着磁することによりスキュー付の回転子８を実現したものである。
【００５４】
また、スキュー着磁した永久磁石２を回転子コア３または、永久磁石埋込孔４に配置しても良い。
【００５５】
上述の実施の形態６によれば、実施の形態１と同様の効果を得ることができ、さらに、構造が簡単で組立性が良い永久磁石形電動機を実現できる。また、解体がしやすく、リサイクル性が良い。
【００５６】
この発明の実施の形態に係る永久磁石形電動機の回転子は、回転子に永久磁石を備えた永久磁石形電動機の回転子において、スキュー着磁した永久磁石を配置するものである。
【００５７】
この発明の実施の形態に係る永久磁石形電動機の回転子は、回転子に永久磁石を備えた永久磁石形電動機の回転子において、スキュー着磁した永久磁石を配置することにより、ラジアル配向スキュー着磁等複雑なスキュー着磁が可能となる。
【００５８】
この発明の実施の形態に係る永久磁石形電動機の回転子は、回転子コアの表面にスキュー着磁した永久磁石を配置するものである。
【００５９】
この発明の実施の形態に係る永久磁石形電動機の回転子は、回転子コアの表面にスキュー着磁したリング磁石を配置するものである。
【００６０】
実施の形態７．
以下、この発明の実施の形態７を図面を参照して説明する。
図７は実施の形態７を示す図で、永久磁石形電動機の平面断面図及び側面断面図である。図において、９は固定子で、ティース１３間に形成されたスロット１２にコイル１０が巻回されている。本実施の形態７は、固定子９でスキューを構成したものである。固定子９には、鉄損が比較的小さい０．３ｍｍ〜０．５ｍｍの高透磁率の無方向性珪素鋼板を使用している。スロット１２を打ち抜くのは、専用金型を用いて、金型を所定のピッチでずらしながら打ち抜いている。
【００６１】
また、固定子コアは、方向性または２方向性の珪素鋼板でも良い。
【００６２】
また、回転子８と固定子９の両方に逆向きのスキューを付けて、電動機を構成しても良い。
【００６３】
上述の実施の形態７によれば、高効率を維持しつつ、騒音、振動の低減が可能となる。さらに、構造が簡単で組立性が良いスキュー付永久磁石形電動機を実現できる。
【００６４】
この発明に係る永久磁石形電動機は、固定子と、永久磁石を備えた回転子とを有する永久磁石形電動機において、固定子によりスキューを構成するものである。
【００６５】
この発明に係る永久磁石形電動機は、固定子と、永久磁石を備えた回転子とを有する永久磁石形電動機において、固定子によりスキューを構成することにより、騒音、振動の低減が可能となる。さらに、構造が簡単で組立性が良いスキュー付永久磁石形電動機を実現できる。
【００６６】
この発明に係る永久磁石形電動機は、固定子と回転子の両方に逆向きのスキューを付けたものである。
【００６７】
実施の形態８．
図８は上記実施の形態１〜６の何れかの回転子８または実施の形態７の固定子９を使用した永久磁石形電動機を搭載した圧縮機を示す概念図である。１５は実施の形態１〜７の何れかを用いた永久磁石形電動機、１８は永久磁石形電動機１５により駆動される圧縮機である。
【００６８】
尚、この圧縮機は一般に用いられる冷凍サイクル（圧縮機１８→四方弁→凝縮器又は蒸発器→絞り装置→凝縮器又は蒸発器→四方弁→圧縮機１８の順に冷媒配管で順次接続された冷凍サイクル装置）中に組み込まれ、冷媒としてはＲ１３４ａ、Ｒ４１０ａ、Ｒ４０７ｃ等に代表されるＨＦＣ系冷媒が、冷凍機油としてはアルキルベンゼン系油に代表される非相溶性の油又はエステル油に代表される相溶性の油が使用される。圧縮機１８は制御回路によりインバータ駆動される。
【００６９】
上記のように構成された圧縮機では、駆動用の永久磁石形電動機１５が動力性能、制御性を向上させ、低騒音化、低振動化を実現している。インバータ駆動による圧縮機では各周波数毎に入力と効率の最適値が変動するが、本実施の形態の圧縮機では、インバータ駆動による広い圧縮機周波数範囲にわたって低騒音・低振動化が図られるため、防音材、防振材の低減等によるコスト削減ができ、圧縮機の利用価値を高められる。さらに、冷媒管等の振動を低減でき、冷凍サイクルの信頼性を向上させることができる。
【００７０】
この発明に係る圧縮機は、上記永久磁石形電動機の回転子を用いたものである。
【００７１】
この発明に係る圧縮機は、上記永久磁石形電動機の回転子を用いたことにより、高効率、低騒音、低振動な圧縮機を実現できる。また、組立性が良くコスト削減ができる。
【００７２】
この発明に係る冷凍サイクルは、上記圧縮機を用いたものである。
【００７３】
この発明に係る冷凍サイクルは、上記圧縮機を用いたことにより、高効率、低騒音な冷凍サイクルを実現できる。
【図面の簡単な説明】
【００７４】
【図１】実施の形態１を示す図で、永久磁石形電動機の回転子の平面断面図及び側面断面図である。
【図２】実施の形態２を示す図で、永久磁石形電動機の回転子の平面断面図及び側面断面図である。
【図３】実施の形態３を示す図で、永久磁石形電動機の回転子の平面断面図及び側面断面図である。
【図４】実施の形態４を示す図で、永久磁石形電動機の回転子の平面断面図及び側面断面図である。
【図５】実施の形態５を示す図で、永久磁石形電動機の回転子の平面断面図及び側面断面図である。
【図６】実施の形態６を示す図で、永久磁石形電動機の回転子の平面断面図及び側面断面図である。
【図７】実施の形態７を示す図で、永久磁石形電動機の平面断面図及び固定子の縦断面図である。
【図８】実施の形態８を示す図で、圧縮機とその冷凍サイクルおよび制御回路の概念図である。
【図９】従来の永久磁石形電動機の回転子の平面断面図及び側面断面図である。
【図１０】従来の永久磁石形電動機の平面断面図である。
【図１１】他の従来の永久磁石形電動機の平面断面図である。
【図１２】さらに他の従来の永久磁石形電動機の回転子を示す図である。
【符号の説明】
【００７５】
１  回転軸、２  永久磁石、３  回転子コア、４  永久磁石埋込孔、５  端板、６  スリット、８  回転子、９  固定子、１０  コイル、１１  エアギャップ、１２  スロット、１３  ティース、１４  充填剤、１５  永久磁石形電動機、１７  インバータ主回路、１８  圧縮機。
【図１】
2008136352.tif 000003
【図２】
2008136352.tif 000004
【図３】
2008136352.tif 000005
【図４】
2008136352.tif 000006
【図５】
2008136352.tif 000007
【図６】
2008136352.tif 000008
【図７】
2008136352.tif 000009
【図８】
2008136352.tif 000010
【図９】
2008136352.tif 000011
【図１０】
2008136352.tif 000012
【図１１】
2008136352.tif 000013
【図１２】
2008136352.tif 000014